(57)【要約】      （修正有）【課題】均一の力を付加して肢位に固定するシンプルなバンド構造を備える骨折や捻挫等の患部へのギプス材の固定や患部を保護するサポーターを提供する。【解決手段】骨折や捻挫等の患部の保護又は固定をするサポーター１であって、略矩形のサポーター本体部３と該本体部を肢位に固定するバンド６をふくみ、サポーター本体を略円筒形状にする連結部４とサポーター本体の位置決め部５を備える。バンドは、その一端がサポーター本体部の長手方向径の端部から該長手方向径の中点までの間に固定され、且つ、該サポーター本体部の長手方向径の長辺側径と該バンドの長手方向径とで挟まれた角度が鋭角をもって固定される。【選択図】図１
0003233734.tif 000002
【実用新案登録請求の範囲】
【請求項１】
骨折や捻挫等の患部におけるギプス材の固定や患部を保護するサポーターにおいて、サポーターは本体部とサポーター本体を肢位に固定するバンドからなり、バンドの一端がサポーター本体の一端近傍からサポーター本体の経方向にも伸びるように設置されている構造を特徴とするサポーター。
【考案の詳細な説明】
【技術分野】
【０００１】      本考案は、整形外科における骨折等患部の固定装具や保護装具に関し、特に、装具を肢位に固定する構造に関する。
【背景技術】
【０００２】      従来、骨折や捻挫等の患部へのギプス材を固定したり、患部を保護したりする装具（以下サポーターと呼ぶ）では、サポーターを肢位に固定するバンドを肢位の周方向に複数個所巻き付けている。その結果、サポーターの取付け手間が増える。また、サポーター構成部品数が多くなりコストもアップする。場合によってはバンド間のサポーターは浮き上がりが生じ、肢位に均一の力が付加されない傾向があった。
【先行技術文献】
【特許文献】
【０００３】
【特許文献１】特許登録第６０５３７６９号  公報
【特許文献２】特開２０１９−１０２４６号  公報
【考案の概要】
【考案が解決しようとする課題】
【０００４】      骨折や捻挫等の患部へのギプス材の固定や患部を保護するサポーターにおいて、サポーターに均一の力を付加して肢位に固定するシンプルなバンド構造を提供する。
【課題を解決するための手段】
【０００５】      骨折や捻挫等の患部におけるギプス材の固定や患部を保護するサポーターにおいて、サポーターは本体部とサポーター本体を肢位に固定するバンドからなり、バンドの一端がサポーター本体の一端近傍からサポーター本体の経方向にも伸びるように設置されている構造を特徴とするサポーター。
【考案の効果】
【０００６】      本考案によって、バンドがサポーター本体に均一の力を付加してサポーター本体の部分的「浮き」を払拭し、サポーター本体が肢位に均一に圧接することができ、又サポーターの取り付け自体を簡便に行うことができる。
【図面の簡単な説明】
【０００７】
【図１】本考案のサポーターの概観図（写真）
【図２】本考案のサポーター展開図外側面
【図３】本考案のサポーター展開図内側面
【図４】本考案のサポーターの手首への位置決め図（写真）
【図５】本考案のサポーターの手首への取付け状態図１（写真）
【図６】本考案のサポーターの手首への取付け状態図２（写真）
【図７】本考案のサポーターの手首への取付け状態図３（写真）
【図８】本考案のサポーターの手首への取付け状態図４（写真）
【図９】本考案のサポーターの手首への取付け状態図５（写真）
【図１０】本考案のサポーターの手首への取付け状態図６（写真）
【考案を実施するための形態】
【０００８】  本考案では、イ）サポーター本体を伸縮性のある生地を略矩形に成形し、その外側表面には起毛材を縫合している。ロ）サポーター本体の一端に、その経方向の位置を決める固定部を設けている。ハ）その経方向の位置決め固定部近傍に伸縮性のある固定バンドの一端を、実施例に示すようにやや経方向に伸びるように前腕方向に角度α（約４０度）をつけて縫合し、この固定バンドでサポーター本体の外側を螺旋状に巻き付け、巻き終わりの固定バンドの他端をサポーター本体及び固定バンド自身に位置自在に締結できるようにしている。これによって、サポーター本体に均一の力を付加してサポーター本体の部分的「浮き」を払拭し、サポーター本体が肢位に均一に圧接することができ、又サポーターの取り付け自体を簡便に行うことができるようにしている。
【実施例】
【０００９】  以下、添付図面を参照して実施例を説明する。
まず、本実施形態に係る手首関節患部のサポーターの構成について説明する。
なお、本実施例は右手に関するものである。左手側は対称につき省略する。
図１は、サポーター１の斜視図（写真）である。
符号３はサポーター本体、符号４はサポーター本体を略円筒形状にする連結部、符号５はサポーター本体の位置決め部、符号６はサポーター本体を肢位に固定するバンドである。
図２は、サポーター本体３の連結部４を切断して開いた状態のサポーター本体の外側面を示す模式図である。
図３は、サポーター本体３の連結部４を切断して開いた状態のサポーター本体の内側面を示す模式図である。【００１０】  以下に、各部について詳細に説明する。
図２、図３に示すように、サポーター本体３は平面形状が略矩形で、符号３０は伸縮性、通気性、クッション性を有するポリエステルのダブルラッセル生地である。装着時に肢位と接する内側表面は皮膚への当たりを和らげるために細かい編み目をしており、その反対の外側表面は通気性を配慮しハニカム状のやや大きめの編み目をしている。
図２に示す符号３１は表面が起毛したナイロンフレンチパイル材でサポーター本体３の略全面に縞状に縫合している。
連結部４は伸縮性のあるゴム紐を用いている。
位置決め部５はサポーター本体３の手先側にあり、その内側面に、図３に示す面ファスナー５５を有している。【００１１】  図２に示すように、符号６は伸縮性を有するバンドでその一端を、サポーター本体３の母指関節付近に、やや経方向に伸びるように前腕方向に角度α（約４０度）をつけて縫合している。符号６６はバンド６の外側の起毛表面を指している。図３の符号６７はバンド６の内側の起毛なし表面を指している。符号６８はバンド６の内側先端部に縫合した面ファスナーである。【００１２】  次に、本実施形態に係るサポーターの装着手順について、図４から図１０を参照しながら説明する。【００１３】  図４に示すように、サポーター本体３に右手首患部を挿入し、右親指と右人差指の間に位置決めバンド５を通し、同面ファスナー５５をサポーター本体３の外側の起毛表面３１に固定し、同サポーター本体３の経方向の位置を決める。
図５は、同サポーター本体の経方向位置決め後、手の掌を示した写真で、サポーター本体へのバンドの巻き始めを示している。
図６は、サポーター本体へバンドを３／４周巻いた状態を示した写真である。
図７は、サポーター本体へバンドを約１周半巻いた状態を示した写真である。
図８は、サポーター本体へバンドを約２１／３周巻き、巻き終わった状態を示した写真である。
図９は、バンドを巻き終わった手の甲側の状態を示した写真である。
図１０は、バンドを巻き終わった手の掌側の状態を示した写真である。
このようにバンド６をサポーター本体の上から適度に締めながら、螺旋状に経方向に巻き上げ、固定バンド６の一端の面ファスナー６８をサポーター本体３のフレンチパイル表面３１と固定バンド６自身の起毛表面６６に固定する。【００１４】  なお、本実施例では、最初にサポーター本体を手首に挿入してジャストフィットするように符号４のゴム紐でサポーター本体を略円筒形状にしているが、必ずしもサポーター本体をこのように略円筒形状にする必要はなく、符号４の連結部を設けないサポーター本体でも構わない。その場合、サポーター本体の取付けの簡便さは悪化するが、サポーターの部分的「浮き」を払拭し、サポーターが肢位に均一に圧接することは得られる。
【符号の説明】
【００１５】１  サポーター
３  サポーター本体
４  サポーター本体の連結部
５  サポーター本体の位置決め部
６  サポーターのバンド
３０  サポーター本体の生地
３１  フレンチパイル材
５５  面ファスナー
６６  起毛表面
６７  起毛なし表面
６８  面ファスナー
【図１】
0003233734.tif 000003
【図２】
0003233734.tif 000004
【図３】
0003233734.tif 000005
【図４】
0003233734.tif 000006
【図５】
0003233734.tif 000007
【図６】
0003233734.tif 000008
【図７】
0003233734.tif 000009
【図８】
0003233734.tif 000010
【図９】
0003233734.tif 000011
【図１０】
0003233734.tif 000012
【手続補正書】
【提出日】令和3年4月27日(2021.4.27)
【手続補正１】
【補正対象書類名】実用新案登録請求の範囲
【補正対象項目名】全文
【補正方法】変更
【補正の内容】
【実用新案登録請求の範囲】
【請求項１】
骨折や捻挫等の患部の保護又は固定をするサポーターであって、サポーターは略矩形のサポーター本体部と該本体部を肢位に固定するバンドをふくみ、該バンドは、その一端がサポーター本体部の長手方向径の端部から該長手方向径の中点までの間に固定され、且つ、該サポーター本体部の長手方向径の長辺側径と該バンドの長手方向径とで挟まれた角度が鋭角をもって固定されたことを特徴とするサポーター。
【手続補正２】
【補正対象書類名】明細書
【補正対象項目名】０００５
【補正方法】変更
【補正の内容】
【０００５】      骨折や捻挫等の患部の保護又は固定をするサポーターであって、
サポーターは略矩形のサポーター本体部と該本体部を肢位に固定するバンドをふくみ、該バンドは、その一端がサポーター本体部の長手方向径の端部から該長手方向径の中点までの間に固定され、且つ、該サポーター本体部の長手方向径の長辺側径と該バンドの長手方向径とで挟まれた角度が鋭角をもって固定されている。
【手続補正３】
【補正対象書類名】明細書
【補正対象項目名】０００８
【補正方法】変更
【補正の内容】
【０００８】  本考案では、イ）サポーター本体を伸縮性のある生地を略矩形に成形し、その外側表面には起毛材を縫合している。ロ）サポーター本体の一端に、その経方向の位置を決める固定部を設けている。ハ）その経方向の位置決め固定部近傍に伸縮性のある固定バンドの一端を、実施例に示すように前腕方向に角度α（約５０度）をつけて縫合し、この固定バンドでサポーター本体の外側を螺旋状に巻き付け、巻き終わりの固定バンドの他端をサポーター本体及び固定バンド自身に位置自在に締結できるようにしている。これによって、サポーター本体に均一の力を付加してサポーター本体の部分的「浮き」を払拭し、サポーター本体が肢位に均一に圧接することができ、又サポーターの取り付け自体を簡便に行うことができるようにしている。
【手続補正４】
【補正対象書類名】明細書
【補正対象項目名】００１１
【補正方法】変更
【補正の内容】
【００１１】  図２に示すように、符号６は伸縮性を有するバンドでその一端（図示Ｂ）を、サポーター本体部の長手方向径の端部（図示Ａ）から該長手方向径の中点（図示０）までの間に固定され、且つ、該サポーター本体部の長手方向径（図示ＡＣ線分）の長辺側径（図示ＢＣ線分）と該バンドの長手方向径（図示ＢＤ線分）とで挟まれた角度（図示α）が約５０度をもって縫合している。符号６６はバンド６の外側の起毛表面を指している。図３の符号６７はバンド６の内側の起毛なし表面を指している。符号６８はバンド６の内側先端部に縫合した面ファスナーである。
【手続補正５】
【補正対象書類名】図面
【補正対象項目名】図２
【補正方法】変更
【補正の内容】
【図２】
0003233734.tif 000013